(57)【要約】【課題】マウスを用いた交配実験のように大規模な動物実験を扱う場合でも、各個体の交配関係及び親仔関係を容易に検索し、表示する。【解決手段】オスの個体識別符号を第１世代を表わす１つのグループとして表示し、その交配関係にあるメスの個体識別符号を、第１世代の交配相手を表わす１つのグループとして表示し、第１世代に含まれるオスと第１世代の交配相手に含まれるメスの交配によって生じた仔の個体識別符号を、第２世代を表わす１つのグループとして表示し、第１世代を表わすグループと第１世代の交配相手を表わすグループとを接続するように第１交配関係を表わす１本の線を表示し、第１交配関係を表わす線から分岐し、第２世代を表わすグループに接続するように第１親子関係を表わす１本の線を表示する。【選択図】図１０
2008065676.tif 000002
【特許請求の範囲】
【請求項１】
交配関係と親子関係を示す家系を表示する家系表示方法において、
入力装置を介して、検索対象である少なくとも１つのオスの個体識別符号を入力する入力ステップと、
表示装置の画面上にて、上記少なくとも１つのオスの個体識別符号を、第１世代を表わす１つのグループとして表示する第１世代表示ステップと、
上記表示装置の画面上にて、上記第１世代に含まれるオスと交配関係にある少なくとも１つのメスの個体識別符号を、上記第１世代の交配相手を表わす１つのグループとして表示する第１世代交配相手表示ステップと、
上記表示装置の画面上にて、上記第１世代に含まれるオスと上記第１世代の交配相手に含まれるメスの交配によって生じた少なくとも１つの仔の個体識別符号を、第２世代を表わす１つのグループとして表示する第２世代表示ステップと、
上記表示装置の画面上にて、上記第１世代を表わすグループと上記第１世代の交配相手を表わすグループとを接続するように第１交配関係を表わす１本の線を表示する第１交配関係表示ステップと、
上記表示装置の画面上にて、上記第１交配関係を表わす線から分岐し、上記第２世代を表わすグループに接続するように第１親子関係を表わす１本の線を表示する第１親子関係表示ステップと、
を含む家系表示方法。
【請求項２】
請求項１記載の家系表示方法において、
Ｎを２以上の任意の整数とするとき、
上記表示装置の画面上にて、上記第１世代の血を受け継いだ第Ｎ世代が１つのグループとして表示されているとき、該第Ｎ世代に含まれる個体と交配関係にある少なくとも１つの個体の個体識別符号を上記第Ｎ世代の交配相手を表わす１つのグループとして表示する第Ｎ世代交配相手表示ステップと、
上記表示装置の画面上にて、上記第Ｎ世代に含まれるオスと上記第Ｎ世代の交配相手に含まれるメスの交配によって生じた少なくとも１つの仔の個体識別符号を、第Ｎ＋１世代を表わす１つのグループとして表示する第Ｎ＋１世代表示ステップと、
上記表示装置の画面上にて、上記第Ｎ世代を表わすグループと上記第Ｎ世代の交配相手を表わすグループとを接続するように第Ｎ交配関係を表わす１本の線を表示する第Ｎ交配関係表示ステップと、
上記表示装置の画面上にて、上記第Ｎ交配関係を表わす線から分岐し、上記第Ｎ＋１世代を表わすグループに接続するように第Ｎ親子関係を表わす１本の線を表示する第Ｎ親子関係表示ステップと、
を含む家系表示方法。
【請求項３】
請求項２記載の家系表示方法において、上記表示装置の画面上にて、上記第１世代及び上記第Ｎ世代を並べて上側に表示し、上記第１世代の交配相手及び上記第Ｎ世代の交配相手を並べて下側に表示することを特徴とする家系表示方法。
【請求項４】
請求項３記載の家系表示方法において、
上記表示装置の画面上にて、上記上側に表示された世代に含まれる個体識別符号のうちの１つを選択すると、該選択された個体識別符号を有する個体の交配相手の識別符号、上記選択された個体識別符号を有する個体の血を受け継いだ個体の個体識別符号、及び、該選択された個体識別符号を有する個体の血を受け継いだ個体の交配相手の個体識別符号を、他の個体の識別符号と区別することができるように表示し、上記下側に表示された世代に含まれる個体識別符号のうちの１つを選択すると、該選択された個体識別符号を有する個体の血を受け継いだ個体の個体識別符号、及び、該選択された個体識別符号を有する個体の血を受け継いだ個体の交配相手の個体識別符号を、他の個体の識別符号と区別することができるように表示することを特徴とする家系表示方法。
【請求項５】
個体識別符号を登録するカラム、交配相手の個体識別符号を登録するカラム、オス親の個体識別符号を登録するカラム、及び、メス親の個体識別符号を登録するカラムの少なくとも４の種類の情報を登録するカラムを含む個体情報が格納された個体情報データベースを検索することによって、交配関係及び親子関係を検索し、家系を表示する家系情報検索表示方法において、
入力装置を介して、少なくとも１つのオスの個体識別符号を入力する入力ステップと、
表示装置の画面上にて、上記少なくとも１つのオスの個体識別符号を、第１世代を表わす１つのグループとして表示する第１世代表示ステップと、
上記個体情報データベースを検索し、上記第１世代に含まれるオスと交配関係にある少なくとも１つのメスの個体識別符号を入手する第１世代交配相手情報入手ステップと、
上記表示装置の画面上にて、上記第１世代交配相手情報入手ステップにて入手した上記少なくとも１つのメスの個体識別符号を、上記第１世代の交配相手を表わす１つのグループとして表示する第１世代交配相手表示ステップと、
上記表示装置の画面上にて、上記第１世代を表わすグループと上記第１世代の交配相手を表わすグループとを接続するように第１交配関係を表わす１本の線を表示する第１交配関係表示ステップと、
を含む家系情報検索表示方法。
【請求項６】
請求項５記載の家系情報検索表示方法において、
上記個体情報データベースを検索し、上記第１世代に含まれるオスと上記第１世代の交配相手に含まれるメスの交配によって生じた少なくとも１つの仔の個体識別符号を入手する第２世代情報入手ステップと、
上記表示装置の画面上にて、上記第２世代情報入手ステップにて入手した上記少なくとも１つの仔の個体識別符号を、第２世代を表わす１つのグループとして表示する第２世代表示ステップと、
上記表示装置の画面上にて、上記第１交配関係を表わす線から分岐し、上記第２世代を表わすグループに接続するように第１親子関係を表わす１本の線を表示する第１親子関係表示ステップと、
を含む家系情報検索表示方法。
【請求項７】
請求項６記載の家系情報検索表示方法において、
Ｎを２以上の任意の整数とするとき、
上記表示装置の画面上にて、上記第１世代の血を受け継いだ第Ｎ世代が１つのグループとして表示されているとき、上記個体情報データベースを検索し、該第Ｎ世代に含まれる個体と交配関係にある少なくとも１つの個体の個体識別符号を入手する第Ｎ世代交配相手情報入手ステップと、
上記表示装置の画面上にて、上記第Ｎ世代交配相手情報入手ステップにて入手した上記少なくとも１つの個体の個体識別符号を、上記第Ｎ世代の交配相手を表わす１つのグループとして表示する第Ｎ世代交配相手表示ステップと、
上記個体情報データベースを検索し、上記第Ｎ世代に含まれるオスと上記第Ｎ世代の交配相手に含まれるメスの交配によって生じた少なくとも１つの仔の個体識別符号を入手する第Ｎ＋１世代情報入手ステップと、
上記表示装置の画面上にて、上記第Ｎ＋１世代情報入手ステップにて入手した上記少なくとも１つの仔の個体識別符号を、上記第Ｎ＋１世代を表わす１つのグループとして表示する第Ｎ＋１世代表示ステップと、
上記表示装置の画面上にて、上記第Ｎ世代を表わすグループと上記第Ｎ世代の交配相手を表わすグループとを接続するように第Ｎ交配関係を表わす１本の線を表示する第Ｎ交配関係表示ステップと、
上記表示装置の画面上にて、上記第Ｎ交配関係を表わす線から分岐し、上記第Ｎ＋１世代を表わすグループに接続するように第Ｎ親子関係を表わす１本の線を表示する第Ｎ親子関係表示ステップと、
を含む家系情報検索表示方法。
【請求項８】
請求項７記載の家系情報検索表示方法において、
上記第Ｎ世代交配相手情報入手ステップは、上記第Ｎ世代に含まれる個体の個体識別符号を検索キーとして上記個体情報データベースを検索し、上記個体情報の第１番目のカラムに、該検索キーである個体識別符号が登録されているレコードを取り出し、該レコードの第２番目のカラムに登録されている個体識別符号を、上記第Ｎ世代に含まれる個体の交配相手であると判定することを特徴とする家系情報検索表示方法。
【請求項９】
請求項７記載の家系情報検索表示方法において、
上記第Ｎ世代交配相手情報入手ステップは、上記第Ｎ世代に含まれる個体の個体識別符号を検索キーとして上記個体情報データベースを検索し、上記個体情報の第２番目のカラムに、該検索キーである個体識別符号が登録されているレコードを取り出し、該レコードの第１番目のカラムに登録されている個体識別符号を、上記第Ｎ世代に含まれる個体の交配相手の個体識別符号であると判定することを特徴とする家系情報検索表示方法。
【請求項１０】
請求項７記載の家系情報検索表示方法において、
上記第Ｎ＋１世代情報入手ステップは、上記第Ｎ世代に含まれる個体の個体識別符号と上記第Ｎ世代の交配相手に含まれる個体の個体識別符号を検索キーとして上記個体情報データベースを検索し、上記個体情報の第３番目のカラムに、上記第Ｎ世代及び上記第Ｎ世代の交配相手の一方に含まれる個体の個体識別符号が登録され、且つ、上記個体情報の第４番目のカラムに、上記第Ｎ世代及び上記第Ｎ世代の交配相手の他方に含まれる個体の個体識別符号が登録されているレコードを取り出し、該レコードの第１番目のカラムに登録されている個体識別符号を、上記第Ｎ世代に含まれる個体と上記第Ｎ世代の交配相手に含まれる個体の交配によって生じた仔の個体識別符号であると判定することを特徴とする家系情報検索表示方法。
【請求項１１】
請求項１から４のいずれか１項記載の家系表示方法をコンピュータに実行させるためにコンピュータによって読み取り可能なプログラム。
【請求項１２】
請求項５から１０のいずれか１項記載の家系情報検索表示方法をコンピュータに実行させるためにコンピュータによって読み取り可能なプログラム。
【発明の詳細な説明】
【技術分野】
【０００１】
本発明は、大規模な動物の交配実験を支援するシステムに関し、特に、交配関係及び親仔関係を樹状図として表示する方法に関する。
【背景技術】
【０００２】
ゲノム研究が進行するにつれ、実験動物を利用した研究の大規模化が進行している。例えば、多数のマウスを取り扱う交配実験が行われる。このような研究の大規模化に伴い、交配関係と親仔関係を示す家系も、大規模化している。動物実験では、家系を樹状図（木構造）によって表示する。
【０００３】
図１は、家系を樹状図として表示した例を示す。この樹状図では、第１世代の個体名１１、２１は、互いに交配関係を示す線１０ａによって接続されている。また、第１世代の個体名１１、１２と、第２世代の個体名３１、３２、３３は、互いに親仔関係を示す線１０ｂによって接続されている。同様に、第２世代の個体名３２、４１は、互いに交配関係を示す線３２ａによって接続され、第２世代の個体名３２、４１と、第３世代の個体名５１、５２、５３は、互いに親仔関係を示す線３２ｂによって接続されている。こうして、樹状図では、両親の間の交配関係と両親と産仔の間の親仔関係は、樹状の線によって結ばれている。
【発明の開示】
【発明が解決しようとする課題】
【０００４】
動物実験では、ヒトでは一般的でない特殊な形式の交配が行われる。例えば、同腹の仔同士の交配や、親と仔の間の交配等である。このような交配を含む家系を、従来の樹状図で表示するのは困難である。即ち、従来の家系表示方法では、特殊な表示処理を用意することなしには、このような特殊な交配実験の情報を表示することができない。
【０００５】
本発明の目的は、マウスを用いた交配実験のように大規模な動物実験を扱う場合でも、各個体の交配関係及び親仔関係を容易に検索し、表示することができる家系情報検索表示方法を提供することにある。
【課題を解決するための手段】
【０００６】
本発明の家系表示方法によると、少なくとも１つのオスの個体識別符号を、第１世代を表わす１つのグループとして表示し、第１世代に含まれるオスと交配関係にある少なくとも１つのメスの個体識別符号を、第１世代の交配相手を表わす１つのグループとして表示し、第１世代に含まれるオスと第１世代の交配相手に含まれるメスの交配によって生じた少なくとも１つの仔の個体識別符号を、第２世代を表わす１つのグループとして表示し、第１世代を表わすグループと第１世代の交配相手を表わすグループとを接続するように第１交配関係を表わす１本の線を表示し、第１交配関係を表わす線から分岐し、第２世代を表わすグループに接続するように第１親子関係を表わす１本の線を表示する。
【発明の効果】
【０００７】
本発明によると、マウスを用いた交配実験のように大規模な動物実験を扱う場合でも、各個体の交配関係及び親仔関係を容易に検索し、表示することができる。
【発明を実施するための最良の形態】
【０００８】
図２を参照して本発明の家系情報検索表示システムの基本的な構成を説明する。家系情報検索表示システムは、個体情報が登録された個体情報データベース２０１、固体情報データベース２０１を検索する情報処理部２０２、検索結果である家系を表示する表示装置２０３、キーボード２０４、及び、マウス２０５を含む。
【０００９】
図３に、個体情報データベース２０１に登録されている個体情報の例を示す。本例によると、個体情報３００は、個体識別符号（個体ＩＤ）を登録するカラム３０１、交配相手の個体識別符号を登録するカラム３０２、オス親の個体識別符号を登録するカラム３０３、及び、メス親の個体識別符号を登録するカラム３０４の少なくとも４の種類の情報を登録するカラムを含む。情報処理部２０２は、個体名が入力されると、個体情報データベース２０１を検索し、入力された個体名の交配相手、両親、及び、仔を検索する。例えば、入力された個体名をＡ１、個体名Ａ１に付与された個体識別符号をａ１とする。
【００１０】
先ず、個体名Ａ１の交配相手を検索する場合を説明する。個体名Ａ１に付与された個体識別符号ａ１を検索キーとして個体情報データベース２０１を検索する。第１番目のカラム３０１に、個体識別符号ａ１が登録されているレコードを取り出し、そのレコードの第２番目のカラム３０２に登録されている個体識別符号を読み取る。この個体識別符号が、個体名Ａ１の交配相手である。尚、第２番目のカラム３０２に、個体識別符号ａ１が登録されているレコードを取り出し、そのレコードの第１番目のカラム３０１に登録されている個体識別符号を読み取り、この個体識別符号を、個体名Ａ１の交配相手であると判定してもよい。
【００１１】
個体名Ａ１の両親を検索する場合は、同様に、第１番目のカラム３０１に、個体識別符号ａ１が登録されているレコードを取り出す。そのレコードの第３番目のカラム３０３に登録されている個体識別符号が、個体名Ａ１のオス親である。そのレコードの第４番目のカラム３０４に登録されている個体識別符号が、個体名Ａ１のメス親である。
【００１２】
個体名Ａ１の産仔を検索する場合を説明する。個体名Ａ１がオスの場合、第３番目のカラム３０３に、個体識別符号ａ１が登録されているレコードを取り出し、そのレコードの第１番目のカラム３０１に登録されている個体識別符号を読み取る。この個体識別符号が、個体名Ａ１の産仔である。個体名Ａ１がメスの場合、第４番目のカラム３０４に、個体識別符号ａ１が登録されているレコードを取り出し、そのレコードの第１番目のカラム３０１に登録されている個体識別符号を読み取る。この個体識別符号が、個体名Ａ１の産仔である。
【００１３】
両親の個体名が与えられたときに、その産仔を検索する場合を説明する。上述のように、個体名Ａ１がオスの場合の仔の検索方法と個体名Ａ１がメスの場合の仔の検索方法を順に実行してもよい。しかしながら、オス親の個体識別符号とメス親の個体識別符号の２つを検索キーとして個体情報データベース２０１を検索する。こうして、２つの検索キーを共に含むレコードを取り出し、そのレコードの第１番目のカラム３０１に登録されている個体識別符号を読み取る。この個体識別符号が、その両親の産仔である。
【００１４】
こうして本例では、個体名が与えられると、その個体の識別符号を検索キーとして個体情報データベース２０１を検索する。それによって、その個体名の交配相手、両親及び産仔を検索することができる。
【００１５】
図４を参照して本発明の家系情報検索表示システムの基本的な概念を説明する。マウスのように一腹あたりの産仔数が１０匹以上になる場合、従来のように、第１世代の個体名と第２世代の個体名の間を、親仔関係を表わす線で結ぶと、線が多くなる。線が多くなると、世代間の関係が却って把握し難くなり、情報を図示する効果が相対的に低くなる。そこで、本発明によると、図４に示すように、同一の両親から生まれた第２世代に含まれる個体名を１つのグループと考え、それを線で囲む。ここでは、第２世代に対して参照符号３０を付す。第１世代の個体名と第２世代３０の間を、親仔関係を表わす１本の線１１ｂで結ぶ。従って、本例では、１対の親から生ずる産仔の数が多い場合でも、親仔関係を表わす線１１ｂは１本である。従って、親仔関係を容易に把握することができる。尚、第１世代の個体名の間は、交配関係を表わす線１１ａによって接続する。
【００１６】
動物実験では、ヒトでは一般的でない特殊な形式の交配が行われている。例えば、同腹の仔同士の交配や、親と仔の間の交配などが該当する。
【００１７】
図５に同腹の仔同士の交配を表現した樹状図の例を示す。交配関係を示す破線４０１は同腹の仔同士の間に接続されている。親仔関係を表わす破線４０２は、両親と仔の間に結ばれている。図６に親と仔の間の交配を表現した樹状図の例を示す。交配関係を示す破線５０１は親と仔の間に接続されている。親仔関係を表わす破線５０２は、両親と仔の間に結ばれている。
【００１８】
図４に示した例では、同一の両親から生まれた第２世代に含まれる個体名を１つのグループとして扱うため、親仔関係を表わす線は１本である。しかしながら、図４に示した方法では、同腹の仔同士の交配や親と仔の間の交配を明瞭に表現することができない。
【００１９】
そこで、図７に示すように、第１世代に含まれる個体名をオスとメスに分け、オスを１つのグループとして考え、それを線で囲む。この例では、第１世代１０に個体名１１、１２、１３のオスが含まれる。
【００２０】
図８は、第１世代に含まれる個体名を、オスのグループとメスのグループに分け、それぞれを、線で囲んだ状態を示す。この例では、第１世代１０に個体名１１、１２、１３のオスが含まれ、第１世代２０に個体名２１、２２、２３のメスが含まれる。本例では、第１世代のうち、オスを上側に表示し、メスを下側に表示する。２つの第１世代１０、２０の間は、交配関係を表わす１本の線１０ａによって接続されている。
【００２１】
本例では、上側の第１世代１０のオスと下側の第１世代２０のメスが交配関係にあることを示すだけであり、それ以外の情報を示すものではない。例えば、上側の第１世代１０のオスと下側の第１世代２０のメスが、同腹の仔同士であってもよく、親と仔であってもよい。即ち、本例では、同腹の仔同士の交配又は親と子の間の交配であっても、特別な表示は無い。
【００２２】
オスの第１世代１０が与えられたとき、個体情報データベース２０１を検索することにより、交配相手のメスの第１世代２０を検索することができる。第１世代１０に含まれる個体名１１、１２、１３の各々に対して、その交配相手を検索すればよい。交配相手を検索する方法は、図３を参照して説明した。
【００２３】
図９は、第１世代１０、２０の交配によって得られた第２世代３０を検索した結果を示す。２つの第１世代１０、２０の間は、交配関係を表わす１本の線１０ａによって接続され、第１世代１０、２０と第２世代３０の間は、親仔関係を表わす１本の線１０ｂによって接続されている。第１世代１０のオスの個体名が与えられると、その交配相手を検索し、更に、その仔を検索することができる。仔の検索方法は図３を参照して説明した。
【００２４】
図１０は、第１世代１０のオスが与えられたとき、それを出発点とする家系が得られた場合を示す。例えば、薬剤の遺伝的影響を調べる場合、薬剤が投与された親から生まれたオスを、第１世代１０のオスとして選択する。次に、第１世代１０のオスの交配相手である第１世代２０のメスを検索する。こうして第１世代１０、２０が決まると、その仔である第２世代３０を検索する。次に、第２世代３０の交配相手である第２世代４０を検索する。こうして、交配相手とその仔の検索を繰り返し、交配相手又は仔を検索することができなくなったとき、その家系が完成する。
【００２５】
この家系において、第１世代では上側にオスを配置し、下側にメスを配置する。上側の世代、即ち、第１世代１０、第２世代３０、第３世代５０、第４世代７０は、第１世代１０のオスの血を受け継いだ仔である。従って、薬剤の遺伝的影響を調べる場合、上側の世代の個体を調べればよい。
【００２６】
図１１を参照して本発明による家系の表示方法を説明する。尚、家系図において、世代数が大きくなる方向を下流方向、世代数が小さくなる方向を上流方向と言い、同一世代では、上側が上流側、下側が下流側と言うこととする。
【００２７】
本例によると、家系上にて上側の世代の１つの個体を指定すると、その下流の個体が表示される。即ち、その個体の血を受け継いだ全ての仔とその交配相手が表示される。例えば、第２世代３０のオス３２を指定すると、その全ての交配相手である第２世代４０のメス４１、４２と、第２世代３０のオス３２の血を受け継いだ全ての仔とその交配相手が表示される。尚、下側の世代の個体の１つを指定すると、その個体の血を受け継いだ全ての仔とその交配相手が表示される。
【００２８】
こうして本例によると、家系の中の所望の個体名を指定すると、その個体より下流側の個体、即ち、その個体と交配関係にある個体、その個体の血を受け継いだ全ての仔とその交配相手が表示される。表示方法は、該当する個体名のみを、太字又は特殊な色彩文字によって表示する方法であってよく、又は、該当する個体名のみを表示してもよい。
【００２９】
図１２を参照して、家系上にて交配関係にある個体を検索し、それを表示する方法を説明する。ここでは、図２に示した本発明の家系情報検索表示システムによって検索及び表示を行う。
【００３０】
ステップＳ１０１にて、検索対象である個体の識別符号を入力する。図２にて示したように、ユーザは、キーボード２０４又はマウス２０５を介して、個体識別符号を入力する。ここでは個体に付与された個体識別符号ａ１を入力したものとする。ステップＳ１０２にて、情報処理部２０２は、個体識別符号ａ１を検索キーとして個体情報データベース２０１を検索する。
【００３１】
ステップＳ１０３にて、情報処理部２０２は、第２番目のカラム３０２に、個体識別符号ａ１が登録されているレコードがあるか否かを判定する。該当するレコードがない場合には、ステップＳ１０１に戻り、次の識別番号を入力し、検索を行う。該当するレコードがある場合は、ステップＳ１０４に進む。
【００３２】
ステップＳ１０４にて、該当するレコードの第１番目のカラム３０１に登録されている個体識別符号を読み取り、それを個体識別符号ａ１の交配相手の個体識別符号であると判定する。ここでは、個体識別符号ａ１の交配相手の個体識別符号をｂ１とする。ステップＳ１０５にて、家系上にて、個体識別符号ａ１の交配相手として、個体識別符号ｂ１を表示する。
【００３３】
尚、上述の例では、ステップＳ１０３にて、情報処理部２０２は、第２番目のカラム３０２に、個体識別符号ａ１が登録されているレコードを検索した。しかしながら、第１番目のカラム３０１に、個体識別符号ａ１が登録されているレコードを検索してもよい。この場合、検索したレコードの第２番目のカラム３０２の個体識別符号ｂ１を読み取り、それを個体識別符号ａ１の交配相手の個体識別符号ｂ１であると判定する。
【００３４】
図１３を参照して、家系上にて親仔関係にある個体を検索し、それを表示する方法を説明する。ここでは、図２に示した本発明の家系情報検索表示システムによって検索及び表示を行う。
【００３５】
ステップＳ２０１にて、検索対象である個体の識別符号を入力する。図２にて示したように、ユーザは、キーボード２０４又はマウス２０５を介して、個体識別符号を入力する。ここでは個体に付与された個体識別符号ａ２を入力したものとする。ステップＳ２０２にて、情報処理部２０２は、個体識別符号ａ２を検索キーとして個体情報データベース２０１を検索する。
【００３６】
ステップＳ２０３にて、情報処理部２０２は、第３番目のカラム３０３又は第４番目のカラム３０４に、個体識別符号ａ２が登録されているレコードがあるか否かを判定する。該当するレコードがない場合には、ステップＳ２０１に戻り、次の識別番号を入力し、検索を行う。該当するレコードがある場合は、ステップＳ２０４に進む。
【００３７】
ステップＳ２０４にて、該当するレコードの第１番目のカラム３０１に登録されている個体識別符号を読み取り、それを個体識別符号ａ２の仔の個体識別符号であると判定する。ここでは、個体識別符号ａ２の仔の個体識別符号をｂ２とする。ステップＳ２０５にて、家系上にて、個体識別符号ａ２の仔として、識別符号ｂ２を表示する。
【００３８】
図１２及び図１３に記載された方法は、コンピュータに実行されるためにコンピュータによって読み取り可能なプログラムによって構成されてよい。
【００３９】
図１４は本発明の家系情報検索表示システムの表示装置２０３に表示された画面の例を示す図である。この画面は、第１世代のオスを入力するフィールド１４１、第１世代のメスを表示するフィールド１４２、上側の第２世代を表示するフィールド１４３、下側の第２世代を表示するフィールド１４４、上側の第２世代を表示するフィールド１４５、下側の第３世代を表示するフィールド１４６等を有する。画面の下側のスクロールバー１４７を移動させることにより、第３世代より下流の世代を表示することができる。
【００４０】
最初のフィールド１４１にて、第１世代のオスを入力することにより、その交配相手である第１世代のメスが、下側のフィールド１４２に表示される。フィールド１４３には、２つの第１世代を親とする第２世代の産仔が表示される。第２世代以降では、１つのフィールドに表示される個体数が多いため、スクロールバー１４８が設けられている。スクロールバー１４８を移動させることにより、そのフィールドに含まれる個体のリストの任意の位置を表示することができる。図示のように、所望のフィールドにて、所望の個体を選択すると、その個体の下流にあり且つその個体と交配関係及び親仔関係にある個体が太線で表示される。
【００４１】
この画面は更に、ＩＶＦ表示切替ボタン１４９、以降ボタン１５０及びＯＦＦボタン１５１を有する。図示の例のように、ＩＶＦ表示切替ボタン１４９が「ＩＶＦ表示中」となっている場合は、人工授精による交配関係が表示される。この状態で、ＩＶＦ表示切替ボタン１４９をクリックすると、「ＩＶＦ非表示中」となり、人工授精による交配関係は表示されない。以降ボタン１５０は、各世代に設けられている。以降ボタン１５０をクリックすると、その以降ボタン１５０が設けられた世代以降の世代のみが表示される。ＯＦＦボタン１５１をクリックすると、以降ボタン１５０によって設定された処理が解除される。
【００４２】
この画面は更に、表示モード選択フィールド１５２を有する。表示モード選択フィールド１５２には、各フィールド１４１〜１４６に表示する個体の識別番号の種類を選択するための選択肢が表示されている。
【００４３】
以上、本発明の例を説明したが本発明は上述の例に限定されるものではなく、特許請求の範囲に記載された発明の範囲にて様々な変更が可能であることは当業者に容易に理解されよう。
【図面の簡単な説明】
【００４４】
【図１】従来の家系を樹状図として表示した例を示す図である。
【図２】本発明による家系情報検索表示システムの構成を示す図である。
【図３】本発明による家系情報検索表示システムの家系情報データベースに格納する個体情報のレコードの例を示す図である。
【図４】本発明による家系情報検索表示方法によって表示した第２世代を示す図である。
【図５】同腹の仔同士の交配を示す樹状図である。
【図６】親と仔の間の交配を示す樹状図である。
【図７】本発明による家系情報検索表示方法によって表示した第１世代の一方を示す図である。
【図８】本発明による家系情報検索表示方法によって表示した第１世代の両方を示す図である。
【図９】本発明による家系情報検索表示方法によって表示した第１世代及び第２世代を示す図である。
【図１０】本発明による家系情報検索表示方法によって表示した家系を示す図である。
【図１１】本発明による家系情報検索表示方法によって表示した家系のうち一部の個体を強調して示す図である。
【図１２】本発明による家系情報検索表示方法によって交配関係にある個体を検索する方法を示す図である
【図１３】本発明による家系情報検索表示方法によって親仔関係にある個体を検索する方法を示す図である。
【図１４】本発明による家系情報検索表示システムの表示装置に表示された画面の例を示す図である。
【図１】
2008065676.tif 000003
【図２】
2008065676.tif 000004
【図３】
2008065676.tif 000005
【図４】
2008065676.tif 000006
【図５】
2008065676.tif 000007
【図６】
2008065676.tif 000008
【図７】
2008065676.tif 000009
【図８】
2008065676.tif 000010
【図９】
2008065676.tif 000011
【図１０】
2008065676.tif 000012
【図１１】
2008065676.tif 000013
【図１２】
2008065676.tif 000014
【図１３】
2008065676.tif 000015
【図１４】
2008065676.tif 000016